(57)【要約】【課題】携帯電話端末の電源オフが推奨される場所に新たな装置を設置する必要がなく、端末電源オフという行為に対してのメリットが通信料金の割引という形で生まれ、ユーザによる端末の電源オフの促進を図ることができる携帯電話網側装置および携帯電話端末の電源オフ促進方法を提供する。  【解決手段】携帯電話端末から受信した電源オフ通知の受信時刻を記録するとともに、予め登録された加入者に対して広告データが格納されたデータベースから広告データを前記携帯電話端末の端末内メモリへダウンロードし、前記携帯電話網側装置は、前記携帯電話端末の通算電源オフ時間を算出してユーザごとの通信料金の割引額を決定し、前記広告データのダウンロード回数を算出して広告スポンサーが負担する広告料の負担額を決定する。【選択図】図２
2009239644.tif 000002
【特許請求の範囲】
【請求項１】
携帯電話端末から受信した電源オフ通知の受信時刻を記録するとともに、予め登録された加入者に対して広告データが格納されたデータベースから広告データを前記携帯電話端末の端末内メモリへダウンロードする手段と、
前記携帯電話網側装置は、前記携帯電話端末の通算電源オフ時間を算出してユーザごとの通信料金の割引額を決定する手段と、
前記広告データのダウンロード回数を算出して広告スポンサーが負担する広告料の負担額を決定する手段と、
を備えたことを特徴とする携帯電話網側装置。
【請求項２】
請求項１記載の携帯電話網側装置において、
ユーザごとに広告視聴割引サービス利用フラグと、電源オフ時刻と、通算電源オフ時間とを格納する加入者管理データベースを参照することを特徴とする携帯電話網側装置。
【請求項３】
請求項１記載の携帯電話網側装置において、
前記広告データベースは、広告コードごとに広告データを格納するとともに広告データダウンロード回数を格納する広告個別データ格納領域と、単位時間当たりの通信料金割引額を含むシステム共通データ格納領域とを有することを特徴とする携帯電話網側装置。
【請求項４】
携帯電話端末から受信した電源オフ通知の受信時刻を記録するとともに、予め登録された加入者に対して広告データが格納されたデータベースから広告データを前記携帯電話端末の端末内メモリへダウンロードするステップと、
前記携帯電話網側装置は、前記携帯電話端末の通算電源オフ時間を算出してユーザごとの通信料金の割引額を決定するステップと、
前記広告データのダウンロード回数を算出して広告スポンサーが負担する広告料の負担額を決定するステップと、
を含むことを特徴とする携帯電話端末の電源オフ促進方法。
【請求項５】
請求項４記載の携帯電話端末の電源オフ促進方法において、
前回の携帯電話端末の電源オフ時にダウンロードした広告データを前記携帯電話端末の起動画面に表示するステップを更に含むことを特徴とする携帯電話端末の電源オフ促進方法。
【発明の詳細な説明】
【技術分野】
【０００１】
本発明は、携帯電話網側装置および携帯電話端末の電源オフ促進方法に関し、特に、携帯電話による通信が好ましくない場所での携帯電話端末の電源オフを促進させることができる携帯電話網側装置および携帯電話端末の電源オフ促進方法として用いると好適である。
【背景技術】
【０００２】
電車内等で携帯電話利用が好ましくない場所では、ペースメーカ等の電子機器への悪影響を避けるため端末の電源を切ることが推奨されている。しかし、実際には電源オフを行っているユーザは少なく、マナーモード設定で終わらせてしまっていることが多い。これは、多くのユーザが他の電子機器への影響度合いを理解していないことは元より、電源オフによるユーザ自身へのメリットが無いことも原因の一つである。
【０００３】
従来の無線通信システムは、電波送信の規制されている場所へ入退場する通路に信号Ａを送信する無線基地局装置１と、信号Ｂを送信する無線基地局装置２とを設置し、使用者が所持している移動通信装置３は、信号Ａと信号Ｂとを受信したとき、信号Ａと信号Ｂの受信順に応じて電波送信をオフ／オンする（例えば、特許文献１参照）。
【０００４】
また、別の移動通信システムは、運転中の携帯型電話機本体の使用を確実に抑止するために、電源状態検出制御部がエンジン始動を検出すると、ハンズフリー装置の動作状態切替部が、予め決められた第１の制御信号を車内通信部から携帯型電話機に送信する。携帯型電話機では、車内通信部で第１の制御信号を受信すると、動作状態切替部は、スイッチを制御し、ドライブモードや電源オフ状態など、着信を検知しない動作状態に携帯電話機を切替える。動作状態切替部は、電源スイッチを制御することにより、着信待受け状態など着信を放置する動作状態にハンズフリー装置を切替える（例えば、特許文献２）。
【０００５】
一方、端末の電源をオンする際に、事業者、端末メーカ、端末機種名等のロゴが表示される。近年は携帯電話端末の高性能化により派手なアニメーションを利用したものが多いが、毎回同じものが表示されるため一般ユーザ的には無用な情報である。一方で端末電源オンが完了したことを確認するためには、画面を見る必要があるため、無用な情報を強制的に見せられているような状況である。
【０００６】
従来の広告等の表示を更新できる電気機器は、メモリ性を有する書換え可能な表示パネルを備え、該表示パネルは案内・データ表示領域と広告表示領域とで構成され、広告領域には送受信器には送受信機を通じて受信された広告情報が表示され、電力を供給することなくその表示が維持される。使用者は使用料金の割引措置や機器購入時の減額措置を受けることができる（例えば、特許文献３参照）。
【０００７】
また、別の広告配信システムは、携帯通信端末が電源オフになると、サーバはネットワークを介して広告データを該携帯通信端末にダウンロードし、該携帯通信端末は、該広告データを記憶し、情報取得中待機時間および待ちうけ画面を利用して、該広告データに基づく広告情報を表示する（例えば特許文献４）。
【特許文献１】特開２００６−００５４５０号公報
【特許文献２】特開２００１−１９７５５６号公報
【特許文献３】特開２００１−２１１２７０号公報
【特許文献４】特開２００６−０７９２０３号公報
【発明の開示】
【発明が解決しようとする課題】
【０００８】
しかしながら、従来技術（特許文献１および特許文献２）においては、それぞれの発明を適用するには莫大なコストがかかることや、携帯電話ユーザのメリットが無いこと等の理由により利用されていない。
【０００９】
別の従来技術（特許文献３）においても、画面の一部を広告表示領域として占有してしまうため、画面の小さい携帯電話端末では著しくユーザの利便性を損なってしまい、ほとんど利用されていない。
【００１０】
また、別の従来技術（特許文献４）においては、「広告表示」に閉じた技術であるため、その他の効果は見込めず、且つ、広告表示時間や回数のカウントを端末アプリケーションで行なっているため、これらの情報が改ざんされる恐れが高い。（広告表示に対する得点（景品、通信料金割引等）を不当に取得されてしまう。）
本発明は、携帯電話端末の電源オフが推奨される場所に新たな装置を設置する必要がなく、端末電源オフという行為に対してのメリットが通信料金の割引という形で生まれ、ユーザによる端末の電源オフの促進を図る携帯電話網側装置および携帯電話端末の電源オフ促進方法を提供することを目的とする。
【課題を解決するための手段】
【００１１】
上記課題を解決するための第１の発明は、携帯電話端末から受信した電源オフ通知の受信時刻を記録するとともに、予め登録された加入者に対して広告データが格納されたデータベースから広告データを前記携帯電話端末の端末内メモリへダウンロードする手段と、前記携帯電話網側装置は、前記携帯電話端末の通算電源オフ時間を算出してユーザごとの通信料金の割引額を決定する手段と、前記広告データのダウンロード回数を算出して広告スポンサーが負担する広告料の負担額を決定する手段とを備えている。
【００１２】
この第１の発明によれば、携帯電話端末画面に広告を表示させる一方で、携帯電話ユーザに通信料金の割引特典を与え、結果、携帯電話利用が好ましくない場所でのユーザによる電源オフを促進させることができる携帯電話網側装置を提供できる。
【００１３】
第２の発明は、第１の発明に記載の携帯電話網側装置において、ユーザごとに広告視聴割引サービス利用フラグと、電源オフ時刻と、通算電源オフ時間とを格納する加入者管理データベースを参照する。
【００１４】
この第２の発明によれば、携帯電話端末の電源オフ促進サービスに加入している加入者の本サービス利用状況を的確に把握できる携帯電話網側装置を提供できる。
【００１５】
第３の発明は、第１の発明に記載の携帯電話網側装置において、前記広告データベースは、広告コードごとに広告データを格納するとともに広告データダウンロード回数を格納する広告個別データ格納領域と、単位時間当たりの通信料金割引額を含むシステム共通データ格納領域とを有している。
【００１６】
この第３の発明によれば、各スポンサー企業の提供する広告データごとにその広告データがダウンロードされた回数が把握でき、各スポンサ企業ごとに負担金額を的確に算定することができる携帯電話端末の電源オフ促進システムを提供できる。
【００１７】
第４の発明は、携帯電話端末から受信した電源オフ通知の受信時刻を記録するとともに、予め登録された加入者に対して広告データが格納されたデータベースから広告データを前記携帯電話端末の端末内メモリへダウンロードするステップと、前記携帯電話網側装置は、前記携帯電話端末の通算電源オフ時間を算出してユーザごとの通信料金の割引額を決定するステップと、前記広告データのダウンロード回数を算出して広告スポンサーが負担する広告料の負担額を決定するステップとを含んでいる。
【００１８】
この第４の発明によれば、携帯電話端末画面に広告を表示させる一方で、携帯電話ユーザに通信料金の割引特典を与え、結果、携帯電話利用が好ましくない場所でのユーザによる電源オフを促進させることができる携帯電話端末の電源オフ促進方法を提供できる。
【００１９】
第５の発明は、第４の発明に記載の携帯電話端末の電源オフ促進方法において、前回の携帯電話端末の電源オフ時にダウンロードした広告データを前記携帯電話端末の起動画面に表示するステップを更に含んでいる。
【００２０】
この第５の発明によれば、更に広告効果が向上できる携帯電話端末の電源オフ促進方法を提供できる。
【発明の効果】
【００２１】
以上、本発明の携帯電話網側装置および携帯電話端末の電源オフ促進方法によれば、
（１）携帯電話事業者にとっては、通信が好ましくない場所での携帯電話利用が減り、電車等で多数のユーザが同時移動した場合のバースト的な位置登録による網輻輳が軽減でき、更に、広告スポンサーからの手数料収入が得られる。
（２）広告スポンサーにとっては、広告効果により自社製品の販売が促進される。
（３）ユーザにとっては、電源オフ時間に応じて、通信料金の割引が受けられる。
【発明を実施するための最良の形態】
【００２２】
以下、本発明の実施の形態について、図を参照しながら説明する。
【００２３】
図１は、本発明による携帯電話端末の起動画面の説明図である。同図において、１１は通常の携帯電話端末１の起動画面であり、例えばメーカのロゴ等が表示されていた。１２は本発明による携帯電話端末１の起動画面であり、スポンサーの広告が表示される。
【００２４】
本発明の実施にあたり、以下の前提条件を行なう。
【００２５】
携帯電話事業者と広告スポンサー間で、本サービスを利用する契約を締結しておく。この際に、広告スポンサーは、広告データを携帯電話事業者に提供する。広告データは、携帯電話事業者内に新たに設置する広告データベースに保持しておき、スポンサーからの要請に応じて変更できるものとする。
【００２６】
一方、ユーザと携帯電話事業者間でも、本サービス利用の契約を締結する。この際に携帯電話事業者内の当該ユーザの加入者管理データベース５内に本サービスの利用契約を示すフラグをオンとする。
【００２７】
図２は、本発明の一実施形態における携帯電話網側装置の構成図である。同図において、携帯電話端末１には既存の呼制御機能部１３、位置登録機能部１４、電源管理機能部１６、動画再生機能部１７、端末内メモリ１８のほかに、本発明で用いる広告データ管理機能部１５を新たに設け、電源管理機能部１６に一部修正を加えるとともに、端末内メモリ１８内に広告データを記憶する。
【００２８】
交換機４には、既存の位置登録機能部４１と呼制御機能部４２のほかに、広告データ管理機能部４３を新たに設ける。
【００２９】
この広告データ管理機能部４３は、予め登録された加入者に対して広告データが格納された広告データベース６から広告データを携帯電話端末１の端末内メモリ１８へダウンロード制御するダウンロード制御部４３１と、携帯電話端末１通算電源オフ時間を算出してユーザごとの通信料金の割引額を決定する料金割引額決定部４３２と、広告データのダウンロード回数を算出して広告スポンサーが負担する広告料の負担額を決定する広告料負担額決定部４３３を有する。
【００３０】
ユーザごとの加入者管理データベース５には、広告視聴割引サービス利用フラグ格納部５１、電源オフ時刻格納部５２、通算電源オフ時間格納部５３を新たに設ける。
【００３１】
新たに設けられる広告データベース６には、広告識別データ６１とシステム共通データ６２を有する。
【００３２】
図３は、本発明による広告データベースの一例を示す構成図である。同図において、
（ａ）広告個別データには、“広告コード”、“広告データ”、“ダウンロード開始日時”、“ダウンロード終了日時”、“広告データダウンロード回数”および“スポンサー企業コード”について、それぞれの値が入力される。
【００３３】
“広告コード”は、広告ごとに一意に割り振られたコードであり、“広告データ”は、広告そのもののバイナリデータ（例えば、Flashムービー等）であり、“ダウンロード開始日時”は、広告のダウンロードを開始する日時であり、この日時に未到達の場合にはこの広告は選択されない。“ダウンロード終了日時”は、広告のダウンロードを終了する日時であり、この日時を過ぎた場合にはこの広告は選択されない。“広告データダウンロード回数”は、広告データがダウンロードされた回数であり、初期値は０とし、広告データがダウンロードされるたびに１加算する。また、この回数に応じてスポンサー企業の負担額が決まる。“スポンサー企業コード”は、スポンサー企業ごとに一意に割り振られたコードである。
（ｂ）システム共通データは、システム全体で1つの値を設定するデータであり、“１時間あたりの通信料金割引額”（例えば、１０円）、“１ケ月あたりの割引額の上限”（例えば、５００円）、“携帯電話事業者への手数料割合”（例えば、５％）がそれぞれ格納される。これらのデータはサービス開始時に設定し、基本的に不変とする。
【００３４】
“１時間あたりの通信料金割引額”は、端末電源オフ時間に対する通信料金の割引額であり、“１ヶ月あたりの割引額の上限”は、１ユーザ、１ヶ月あたりの割引額の上限であり、電源オフ時間が大きくなってもこの額以上の割引は行わない。“携帯電話事業者への手数料割合”は、上記、通信料金割引額に対する携帯電話事業者への手数料の割合であり、広告スポンサーは、通信料金割引額＋手数料を携帯電話事業者に支払う。
【００３５】
図４は、本発明による加入者管理データベースへの広告視聴割引管理の一例を示す構成図である。同図において、“広告視聴割引サービ利用フラグ”、“電源オフ時刻”、“通算電源オフ時間”がそれぞれ加入者管理データベース５に格納される。
【００３６】
“広告視聴割引サービス利用フラグ”は、本発明による広告視聴割引サービスの利用契約を行っているか否かを示すフラグであり、オンの場合は本サービスの契約者となる。初期値はオフとする。“電源オフ時刻”は、最後に端末を電源オフした時刻であり、“通算電源オフ時間”は、当月の電源オフ時間を積算したものであり、月ごとの通信割引料金の算出に使用する。
（１）各ユーザの月ごとの通信割引料金の算出は、図３の場合で計算してみると、
例１：通算電源オフ時間＝３．５時間を実行したら、
割引額＝３．５時間×１０円＝３５０円となり、３５０円が割り引かれる。
【００３７】
例２：通算電源オフ時間＝２５時間を実行したら、
割引額＝２５時間×１０円＝２，５００円となるが、１ケ月あたりの割引額の上限が５００円であるため、上限の５００円が割り引かれる。
（２）各スポンサー企業の月ごとの広告料の負担額は、図３の場合で計算してみると、
例：全ユーザの通信料金の割引額合計が１，０００万円とすると、
Ａ社の負担額＝１，０００万円×（（０回＋６０，０００回）÷（０回+６０，０００回＋３５,０００回＋５,０００回＋０回））×１０５％＝６３０万円となり、
Ｂ社の負担額＝１，０００万円×（（３５，０００回）÷（０回+６０，０００回＋３５,０００回＋５,０００回＋０回））×１０５％＝３６７．５万円となり、
Ｃ社の負担額＝１，０００万円×（（５，０００回）÷（０回+６０，０００回＋３５,０００回＋５,０００回＋０回））×１０５％＝５２．５万円となる。
【００３８】
したがって、Ａ社、Ｂ社、Ｃ社が携帯電話事業者へ納める額の合計、１，０５０万円から全ユーザの通信料金の割引額合計の差額５０万円が携帯電話事業者の利益となる。
【００３９】
なお、ダウンロード終了日時が現時刻より過去となった場合は、月ごとの広告料の負担額決定後に該当広告データを広告データベースから削除する。
【００４０】
図５は、本発明の一実施形態における携帯電話端末の電源オフ促進手順を示す説明図である。
【００４１】
前提として、携帯電話事業者と広告スポンサー間で、本サービス利用の契約を締結する。この際、広告スポンサーは、広告データを携帯電話事業者に提供する。広告データは、携帯電話事業者内に新たに設置する広告データベース６に格納しておき、スポンサーからの要請に応じて変更できるものとする。一方、ユーザと携帯電話事業者間でも、本サービス利用の契約を締結する。この際に、携帯電話事業者内の加入者管理データベース５内に広告視聴割引サービスの利用契約の有無情報を示すフラグをオンとする。また、加入者管理データベース５には、電源オフ時刻と通算電源オフ時間を保持する格納エリアを有している。
【００４２】
以下に図５に示す携帯電話端末の電源オフ促進手順について、図２〜図４を参照して説明する。
〔運用手段１（端末電源オフ）〕
Ｓ１．ユーザが携帯電話端末１を操作して携帯電話端末１の電源をオフする。同時に携帯電話端末１は、自動的に携帯電話網７側に、「端末電源オフ通知」を送信する。
【００４３】
Ｓ２．「端末電源オフ通知」を受信した交換機４は、携帯電話端末１に「端末電源オフ応答」を返送する。この際、本サービスの加入者か否かを判定し、本サービスの加入者の場合は、「端末電源オフ応答」内の「ダウンロード広告コード」で携帯電話端末１にダウンロードさせる広告を指定する。広告データは広告データベース６内に複数格納されていることが一般的であるが、その中からいずれか一つを選択する。選択する広告はその都度異なり、それぞれが均等に選択されるものとする。また、加入者管理データベース５内に電源オフ時刻として現在の時刻を記録する。
【００４４】
Ｓ３．「端末電源オフ応答」を受け取った携帯電話端末１は、電源オフ動作を開始する。「ダウンロード広告コード」で広告データをダウンロードするよう指示された場合には、広告データのダウンロードを開始する。ダウンロード手順は一般的なパケット通信手段を用いて行い、ダウンロードした広告データは端末内メモリ１８に保持する。
【００４５】
Ｓ４．ダウンロード完了後は自動的に電源オフ状態となる。電源オフ処理の一連の流れとしてダウンロード処理が行われるため、ユーザへの見た目は既存の電源オフ動作と同様となる。一方、「ダウンロード広告コード」が指定されなかった場合は通常どおりの電源オフ動作となる。
【００４６】
次に、携帯電話端末１の電源オン時の手順について、図５を用いて図２〜図４を参照して説明する。
〔運用手段２（端末電源オン）〕
Ｓ５．ユーザが携帯電話端末１の電話電源をオンする。
【００４７】
Ｓ６．端末内メモリ１８に広告データがダウンロードされていれば、その広告データを携帯電話端末１起動時にその携帯電話端末１の表示部に表示する。
【００４８】
Ｓ７．携帯電話端末１の電源オン動作完了後、現在の位置情報を網側に知らせるため「位置登録要求」が送信される（既存動作）。
【００４９】
Ｓ８．「位置登録要求」を受信した交換機４は、本サービス利用契約者であれば前記Ｓ２で記録した、電源オフ時刻と現在時刻との差分を、「通算電源オフ時間」へ加算する。
【００５０】
次に、月ごとの通信料金算出処理について、図５を用いて図２〜図４を参照して説明する。
〔運用手段３（月ごとの通信料金算出処理）〕
Ｓ９．前記Ｓ８の「通算電源オフ時間」に応じて、ユーザごとの通信料金の割引額を決定する。この割引額に手数料を加算した額を、広告スポンサーから徴収する。
【００５１】
本発明は、電源オン時の起動画面を広告媒体として有効利用することを主体に記述しているが、電源オフ時〔運用手段１のＳ２〜Ｓ３〕に、前回電源オフ時にダウンロードした広告データを表示すると、さらに広告効果が向上できる。
【００５２】
図６は、本発明の一実施形態における携帯電話端末の電源オフ時の広告データダウンロード処理のシーケンス図である。なお、図６の説明にて、無線基地局２、無線基地局制御局３については、信号を透過するのみで本発明の本質とは関連しないため省略した。以下、図６の動作シーケンスについて説明する。
【００５３】
Ｓ１０．ユーザ操作による電源オフを検知した携帯電話端末１の電源管理機能部１６は、交換機４に対し、「電源オフ通知」（本発明により新たに追加）を送信する。
【００５４】
Ｓ１１．「電源オフ通知」を受信した交換機４の広告データ管理機能部４３は、該当ユーザの加入者管理データベース５内の広告視聴割引サービス利用フラグ格納部５１を読み出す。フラグがオン（＝本サービス利用ユーザ）の場合は、ダウンロードさせる広告を選択する。基本的に現時刻において有効である広告の中から均等に選択されるものとする。フラグがオフ（＝本サービス未加入）の場合は、以下の処理を行わない。
【００５５】
Ｓ１２．交換機４は、広告データベース６上のＳ２で選択した広告データの「広告データダウンロード回数」を１加算する。また、加入者管理データベース５上の電源オフ時刻格納部５２に現在の時刻を書き込む。
【００５６】
Ｓ１３．交換機４は、携帯電話端末１に対し「電源オフ応答（新たに追加）」を送信する。このメッセージには、携帯電話端末１にダウンロードさせる広告データを識別する「ダウンロード広告コード」を含める。前記Ｓ２で本サービス利用ユーザでなかった場合には無効値（＝広告データをダウンロードさせない）を設定する。
【００５７】
Ｓ１４．「電源オフ応答」を受信した携帯電話端末１は、「ダウンロード広告コード」をチェックする。無効値の場合は本サービスの契約を行っていないユーザであるため、即座に電源オフ状態へ移行する。有効値の場合は、該当する広告データのダウンロードを行う。ダウンロード手順については、着信メロディ等のデータのダウンロードと同様である。
【００５８】
Ｓ１５．ダウンロードしたデータを端末メモリ１８内に設けた「広告データ」格納領域に格納し、携帯電話端末１の電源をオフ（電波の送受信を行わない状態）にする。
【００５９】
なお、上記Ｓ１１〜Ｓ１４の処理を行っている間は、端末ディスプレイ等へは何も表示させない。ユーザからの見た目には上記Ｓ１０の時点で通常の電源オフと同等となる。
【００６０】
図７は、本発明の一実施形態における携帯電話端末の電源オン時に広告データ再生処理の動作シーケンス図である。なお、図７の説明にて、無線基地局２、無線基地局制御局３については、信号を透過するのみで本発明の本質とは関連しないため省略した。以下、図７の動作シーケンスについて説明する。
【００６１】
Ｓ１６．ユーザ操作による電源オンを検知した携帯電話端末１の電源管理機能部１６は、端末内メモリ１８に「広告データ」が存在するか否かを確認する。「広告データ」が存在しない場合は、通常の起動画面１１（メーカのロゴ等）を表示し、端末初期設定処理を行う。本サービス加入者であれば、図６で説明したＳ１４の動作時に端末内メモリ１８に「広告データ」がダウンロードされている。
【００６２】
Ｓ１７．携帯電話端末１内に「広告データ」が存在した場合には、その「広告データ」を再生しながら端末初期設定動作を行う。一般的にユーザは電源オン時には正常に携帯電話端末１が起動したか否かを、端末ディスプレイで目視確認しているため、この時再生されている広告は必ずユーザの目に留まることとなる。
【００６３】
Ｓ１８．携帯電話端末１は，現在の位置を知らせるため、「位置登録要求」を交換機４に対し送信する。
【００６４】
Ｓ１９．「位置登録要求」を受信した交換機４は、該当ユーザの加入者管理データベース５の広告視聴サービス利用フラグ格納部５１からフラグを読み出す。フラグがオフ（＝本サービス未加入）の場合は、次の処理は行わない。
【００６５】
Ｓ２０．「広告視聴サービス利用フラグ」がオン（＝本サービス利用ユーザ）の場合は、図６のＳ１２で保存した加入者管理データベース５上の「電源オフ時刻」を読み出す。そして、現在時刻との差分を今回の電源オフ時間として、加入者管理データベース５上の通算電源オフ時間格納部５３に積算する。
【００６６】
Ｓ２１．交換機４は，これまで通りの位置登録処理を行う。完了後、「位置登録完了」メッセージを携帯電話端末１に送信する。
【産業上の利用可能性】
【００６７】
本発明は、携帯電話事業者にとっては通信が好ましくない場所での携帯電話利用が減るのみならず、広告スポンサーからの手数料収入が得られ、広告スポンサーにとっては広告効果により自社製品の販売が促進され、またユーザにとっては携帯電話端末の電源オフ時間に応じて、通信料金の割引が促進される。このように三者互いにｗｉｎ−ｗｉｎの関係となることができるため、携帯電話の新サービスとして利用できる。
【００６８】
以上の実施例を含む実施態様に関し、更に以下の付記を開示する。
【００６９】
（付記１)
携帯電話端末から受信した電源オフ通知の受信時刻を記録するとともに、予め登録された加入者に対して広告データが格納されたデータベースから広告データを前記携帯電話端末の端末内メモリへダウンロードする手段と、
前記携帯電話網側装置は、前記携帯電話端末の通算電源オフ時間を算出してユーザごとの通信料金の割引額を決定する手段と、
前記広告データのダウンロード回数を算出して広告スポンサーが負担する広告料の負担額を決定する手段と、
を備えたことを特徴とする携帯電話網側装置。
【００７０】
（付記２）
付記１記載の携帯電話網側装置において、
ユーザごとに広告視聴割引サービス利用フラグと、電源オフ時刻と、通算電源オフ時間とを格納する加入者管理データベースを参照することを特徴とする携帯電話網側装置。
【００７１】
（付記３）
付記１記載の携帯電話網側装置において、
前記広告データベースは、広告コードごとに広告データを格納するとともに広告データダウンロード回数を格納する広告個別データ格納領域と、単位時間当たりの通信料金割引額を含むシステム共通データ格納領域とを有することを特徴とする携帯電話網側装置。
【００７２】
（付記４）
付記３記載の携帯電話網側装置において、
前記システム共通データ格納領域には、携帯電話事業者への手数料割合を示す領域を更に有することを特徴とする携帯電話網側装置。
【００７３】
（付記５）
携帯電話端末から受信した電源オフ通知の受信時刻を記録するとともに、予め登録された加入者に対して広告データが格納されたデータベースから広告データを前記携帯電話端末の端末内メモリへダウンロードするステップと、
前記携帯電話網側装置は、前記携帯電話端末の通算電源オフ時間を算出してユーザごとの通信料金の割引額を決定するステップと、
前記広告データのダウンロード回数を算出して広告スポンサーが負担する広告料の負担額を決定するステップと、
を含むことを特徴とする携帯電話端末の電源オフ促進方法。
【００７４】
（付記６）
付記５記載の携帯電話端末の電源オフ促進方法において、
前回の携帯電話端末の電源オフ時にダウンロードした広告データを前記携帯電話端末の起動画面に表示するステップを更に含むことを特徴とする携帯電話端末の電源オフ促進方法。
【００７５】
（付記７）
付記５記載の携帯電話端末の電源オフ促進方法において、
前記予め登録された加入者を判別するのに、該当ユーザの加入者管理データベース内の広告視聴割引サービスフラグを読み出し、当該広告視聴割引サービスフラグがオンの場合は、本サービス利用加入者であることを判別することを特徴とする携帯電話端末の電源オフ促進方法。
【図面の簡単な説明】
【００７６】
【図１】本発明による携帯電話端末の起動画面の説明図である。
【図２】本発明の一実施形態における携帯電話網側装置の構成図である。
【図３】本発明による広告データベースの一例を示す構成図である。
【図４】本発明による加入者管理データベースへの広告視聴割引管理の一例を示す構成図である。
【図５】本発明の一実施形態における携帯電話端末の電源オフ促進手順を示す説明図である。
【図６】本発明の一実施形態における携帯電話端末の電源オフ時の広告データダウンロード処理のシーケンス図である。
【図７】本発明の一実施形態における携帯電話端末の電源オフ時の広告データ再生処理の動作シーケンス図である。
【符号の説明】
【００７７】
１      携帯電話端末
１１    通常の携帯電話端末の起動画面
１２    本発明による携帯電話端末の起動画面
１３    呼制御機能部
１４    位置登録機能部
１５    広告データ管理機能部
１６    電源管理機能部
１７    動画再生機能部
１８    端末内メモリ
２      無線基地局
３      無線基地局制御局
４      交換機
４１    位置登録機能部
４２    呼制御機能部
４３    広告データ管理機能部
４３１  ダウンロード制御部
４３２  料金割引額決定部  
４３３  広告料負担額決定部
５      ユーザ毎の加入者管理データベース
５１    広告視聴割引サービス利用フラグ
５２    電源オフ時刻データ
５３    通算電源オフ時間データ
６      広告データベース
６１    広告個別データ
６２    システム共通データ
【図１】
2009239644.tif 000003
【図２】
2009239644.tif 000004
【図３】
2009239644.tif 000005
【図４】
2009239644.tif 000006
【図５】
2009239644.tif 000007
【図６】
2009239644.tif 000008
【図７】
2009239644.tif 000009